(57)【特許請求の範囲】
【請求項１】
導電性を有する器具本体に取り付けられる光源ユニットであって、
１乃至複数の光源部と、前記１乃至複数の光源部が前面に固定された板状の支持部材と、前記支持部材の後面に設けられた放熱部と、防水部材と、前記支持部材及び前記防水部材を前記器具本体に取り付けるための１乃至複数の取付部材とを備え、
前記防水部材は、電気絶縁性を有し、前記支持部材の周縁部分に被さって前記支持部材と前記器具本体との間の隙間を塞ぐように設けられ、
前記取付部材は、前記器具本体に固定される固定片と、前記防水部材を前記器具本体に向かって押さえる押さえ片とを有し、
前記防水部材は、枠体と、前記枠体の内周縁から全周に渡って前方へ立ち上がる側壁と、前記側壁の前端から前記枠体の前面と対向するように枠状に形成されたフランジとを有し、
前記枠体と前記フランジと前記側壁に囲まれた凹部に、前記器具本体の一部が挿入されることを特徴とする光源ユニット。
【請求項２】
前記防水部材は、前記押さえ片と前記放熱部との間に位置する第１の壁を有することを特徴とする請求項１記載の光源ユニット。
【請求項３】
前記防水部材は、枠形状に形成され、前記支持部材の前記周縁部分が挿入される凹所を内周面に有することを特徴とする請求項１又は２記載の光源ユニット。
【請求項４】
前記防水部材は、前記押さえ片と前記放熱部との間に位置する第１の壁と、前記器具本体と前記放熱部との間に位置する第２の壁とを有し、前記第２の壁は、前記第１の壁と隙間を空けて分断されていることを特徴とする請求項３記載の光源ユニット。
【請求項５】
１乃至複数の光源ユニットと、前記光源ユニットが取り付けられる器具本体とを有し、
前記光源ユニットは、請求項１〜４のいずれかの光源ユニットであり、
前記器具本体は、導電性を有することを特徴とする照明器具。
【発明の詳細な説明】
【技術分野】
【０００１】
本発明は、光源ユニット及び照明器具に関し、より詳細には、放熱構造を有する光源ユニット、及び、当該光源ユニットを有する照明器具に関する。
【背景技術】
【０００２】
従来例として、特許文献１記載の照明器具を例示する。この従来例は、器具本体、４つの灯具（光源ユニット）、電源ブロックなどを備える。
【０００３】
灯具は、灯具本体、光源ブロックなどを有する。光源ブロックは、基板の表面に発光ダイオード（ＬＥＤ）が実装されて構成される。灯具本体は、下面が開口する箱状の収納部と、収納部の下端に連結される枠部と、収納部の天面から上向きに突出する複数の放熱板とがアルミ又はアルミ合金で一体に形成されてなる。
【０００４】
器具本体は、円形の底板、底板の周縁より上向きに突出する周壁などがアルミ又はアルミ合金で一体に形成されてなる。底板には４つの窓孔が貫通し、各窓孔の周囲にそれぞれ３つのボスが等間隔に突設されている。そして、各灯具は、窓孔を塞ぐようにして底板にねじ止めされることにより、器具本体に取り付けられる。
【０００５】
したがって、特許文献１記載の従来例は、器具本体の底板に４つの灯具をねじ止めして取り付けることで組み立てられるため、組立作業の作業性に優れている。
【先行技術文献】
【特許文献】
【０００６】
【特許文献１】特開２０１４−２６８０３号公報
【発明の概要】
【発明が解決しようとする課題】
【０００７】
ところで、屋外で使用される光源ユニット及び照明器具は、屋内で使用される上記従来例と比較して、充電部（光源ブロック）と金属部分（器具本体）との絶縁距離を大きくする必要がある。
【０００８】
本発明は、上記課題に鑑みてなされており、小型化を図りつつ必要な絶縁距離を確保することを目的とする。
【課題を解決するための手段】
【０００９】
本発明の光源ユニットは、導電性を有する器具本体に取り付けられる光源ユニットであって、１乃至複数の光源部と、前記１乃至複数の光源部が前面に固定された板状の支持部材と、前記支持部材の後面に設けられた放熱部と、防水部材と、前記支持部材及び前記防水部材を前記器具本体に取り付けるための１乃至複数の取付部材とを備え、前記防水部材は、電気絶縁性を有し、前記支持部材の周縁部分に被さって前記支持部材と前記器具本体との間の隙間を塞ぐように設けられ、前記取付部材は、前記器具本体に固定される固定片と、前記防水部材を前記器具本体に向かって押さえる押さえ片とを有し、前記防水部材は、枠体と、前記枠体の内周縁から全周に渡って前方へ立ち上がる側壁と、前記側壁の前端から前記枠体の前面と対向するように枠状に形成されたフランジとを有し、前記枠体と前記フランジと前記側壁に囲まれた凹部に、前記器具本体の一部が挿入されることを特徴とする。
【００１０】
本発明の照明器具は、１乃至複数の光源ユニットと、前記光源ユニットが取り付けられる器具本体とを有し、前記光源ユニットは、前記光源ユニットであり、前記器具本体は、導電性を有することを特徴とする。
【発明の効果】
【００１１】
本発明の光源ユニット及び照明器具は、小型化を図りつつ必要な絶縁距離を確保することができるという効果がある。
【図面の簡単な説明】
【００１２】
【図１】実施形態に係る光源ユニット及び照明器具の分解斜視図である。
【図２】図２Ａは実施形態に係る照明器具の前方から見た斜視図、図２Ｂは実施形態に係る照明器具の後方から見た斜視図である。
【図３】実施形態に係る照明器具の一部省略した分解斜視図である。
【図４】実施形態に係る照明器具の一部省略した断面図である。
【図５】実施形態に係る光源ユニットにおける防水部材を示し、図５Ａは正面図、図５Ｂは平面図、図５Ｃは右側面図、図５Ｄは背面図である。
【図６】実施形態に係る光源ユニットにおける防水部材を示し、図６Ａは正面図、図６Ｂは図６ＡにおけるＸ−Ｘ線断面矢視図、図６Ｃは図６ＡにおけるＹ−Ｙ線断面矢視図である。
【図７】実施形態に係る照明器具における器具本体の背面図である。
【図８】実施形態に係る照明器具における器具本体を示し、図８Ａは正面図、図８Ｂは平面図、図８Ｃは左側面図、図８Ｄは右側面図である。
【図９】実施形態に係る照明器具の一部省略した斜視図である。
【図１０】実施形態に係る照明器具の一部省略した正面図である。
【発明を実施するための形態】
【００１３】
本実施形態に係る光源ユニット１並びに本実施形態に係る照明器具Ａについて、図面を参照して詳細に説明する。本実施形態に係る照明器具Ａは、主に、サッカースタジアムや各種の競技場、学校の運動場などを照明（投光照明）する用途に用いられる投光器である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１４】
本実施形態に係る照明器具Ａは、図１、図２Ａ、図２Ｂ及び図３に示すように、複数（図示例では４つ）の光源ユニット１と、器具本体２とを有する。また、本実施形態に係る照明器具Ａは、パネルユニット３、固定部材４、保護カバー５、結線ボックス６などを有することが好ましい。なお、以下の説明においては、特に断りの無い限り、図１において前後、左右、上下の各方向を規定する。すなわち、器具本体２に対してパネルユニット３側を前、器具本体２に対して保護カバー５側を後、器具本体２に対して固定部材４側を下、器具本体２に対して固定部材４と反対側を上とする。さらに、パネルユニット３を正面から見て、左側を左、右側を右とする。
【００１５】
本実施形態に係る光源ユニット１は、図１に示すように、光源部である２つのＬＥＤモジュール１０、放熱部である放熱ブロック１１、２つのレンズブロック１２、防水部材１３、取付部材である２つの押さえ金具１４などを備える。ＬＥＤモジュール１０は、複数個（図示例では１１個）のＬＥＤ（発光ダイオード）１００と、矩形平板状の実装基板１０１と、複数（図示例では２つ）の速結端子台１０２とを有する（図３参照）。ＬＥＤ１００は、例えば、白色光を放射する白色発光ダイオードである。実装基板１０１は、例えば、アルミ又はアルミ合金製の基板の表面に絶縁膜を介して導電体（銅箔）が形成されたアルミ基板で構成されることが好ましい。複数個のＬＥＤ１００は、実装基板１０１の表面（実装面）に実装され、かつ、実装面に形成される導電体によって電気的に直列接続されることが好ましい。２つの速結端子台１０２は、実装基板１０１の実装面に実装され、かつ、複数個のＬＥＤ１００の直列回路の両端と各別に電気的に接続される。ここで、２つの速結端子台１０２は、電線が差し込み接続される方向（速結端子台１０２の長手方向）を、実装基板１０１の長手方向（上下方向）に対して傾けるようにして実装基板１０１の表面に実装されることが好ましい。ただし、１枚の実装基板１０１に実装されるＬＥＤ１００の個数は１１個に限定されない。
【００１６】
放熱ブロック１１は、ベース部１１０と、複数枚（図示例では１８枚）の放熱板１１１と、複数本（図示例では１０本）のヒートパイプ１１２とを有する（図３参照）。ベース部１１０は、アルミ又はアルミ合金によって矩形の平板状に形成されることが好ましい。ベース部１１０の前面に、２つのＬＥＤモジュール１０がねじ止めによって取り付けられる（図４参照）。放熱板１１１は、アルミ又はアルミ合金によって矩形の薄板状に形成されることが好ましい。これら複数枚の放熱板１１１は、厚み方向を左右方向に一致させて、互いに間隔を空けて並び、かつ、ベース部１１０の後面から後方へ突出するように形成されている。ヒートパイプ１１２は、Ｕ字形状に形成される。ヒートパイプ１１２の一端側がベース部１１０の後面に半分ほど埋め込まれるように接合（熱的に結合）される（図４参照）。また、ヒートパイプ１１２の他端側は、複数枚の放熱板１１１を貫通して熱的に結合するように構成される（図３参照）。つまり、複数個のＬＥＤ１００が発する熱は、実装基板１０１からベース部１１０へと伝わり、さらに、ヒートパイプ１１２によって放熱板１１１に伝導されて放熱される。なお、ヒートパイプ１１２の少なくとも一部分は、複数の放熱板１１１のうちで最も外側（左端及び右端）に位置する放熱板１１１から外に突出している（図３参照）。
【００１７】
レンズブロック１２は、アクリル樹脂やポリカーボネート樹脂などの透光性を有する合成樹脂材料により、本体１２０と複数（図示例では１１個）のレンズ１２１とが一体に形成されることが好ましい（図１参照）。本体１２０は、矩形の平板状に形成される。レンズ１２１は、本体１２０の後面に、上下及び左右に並べて一体に形成される。ただし、これら複数個のレンズ１２１は、本体１２０の後面において、ＬＥＤモジュール１０の複数個のＬＥＤ１００と一対一に対応する位置に配置される（図４参照）。
【００１８】
防水部材１３は、図５及び図６に示すように、シリコーンゴムなどの電気絶縁性を有する弾性材料により、全体として矩形の枠状に形成されることが好ましい。より詳細には、防水部材１３は、枠体１３０、一対の縦壁１３１、一対の横壁１３２、フランジ１３３、側壁１３４、一対の平坦部１３５並びに凹所１３６などを有している。枠体１３０は、平坦な矩形の枠状に形成されている（図５Ａ及び図５Ｄ参照）。なお、枠体１３０は、前面及び背面の両面に、全周に渡って枠体１３０の厚み方向（前後方向）に突出する一対のリブ１３００が形成されている（図５Ｄ参照）。つまり、これらのリブ１３００が放熱ブロック１１のベース部１１０及び器具本体２に押し当てられて変形することにより、ベース部１１０と器具本体２との間の隙間を塞ぐことができる。
【００１９】
枠体１３０の前面に側壁１３４とフランジ１３３が一体に設けられている。側壁１３４は、枠体１３０の内周縁から全周に渡って前方へ立ち上がるように形成される（図５Ｂ、図５Ｃ、図６Ｂ及び図６Ｃ参照）。フランジ１３３は、側壁１３４の前端から全周に渡って、枠体１３０の前面と平行かつ対向するように枠状に形成されている（図６Ａ〜図６Ｃ参照）。つまり、枠体１３０の前面には、枠体１３０とフランジ１３３と側壁１３４で囲まれた凹部１３７が形成されている（図５Ｃ参照）。
【００２０】
一対の縦壁１３１は、矩形の平板状に形成される。そして、一対の縦壁１３１は、枠体１３０の背面における短辺側の端に沿って後方へ突出するように形成されている（図５Ｃ及び図５Ｄ参照）。また、一対の横壁１３２は、おおよそ矩形の平板状に形成される。そして、一対の横壁１３２は、枠体１３０の背面における長辺側の端に沿って後方へ突出するように形成されている（図５Ｂ及び図５Ｄ参照）。ただし、一対の縦壁１３１のそれぞれの長手方向の両端と、一対の横壁１３２のそれぞれの長手方向の両端とは、隙間を空けて分断されている（図５Ｄ参照）。つまり、縦壁１３１と横壁１３２は、互いに独立して撓むことができるように構成されている。
【００２１】
一対の平坦部１３５は、一対の横壁１３２とそれぞれ一体に形成されている。すなわち、平坦部１３５は、横壁１３２の高さ方向（前後方向）の中央付近から横壁１３２の厚み方向に沿って枠体１３０と平行に突出するように形成されている（図５Ｂ及び図５Ｄ参照）。つまり、一対の横壁１３２は、平坦部１３５において段差が形成されている（図６Ｂ及び図６Ｃ参照）。そして、一対の平坦部１３５と枠体１３０との間に、それぞれ凹所１３６が形成される（図６Ｂ及び図６Ｃ参照）。
【００２２】
押さえ金具１４は、押さえ片１４０及び固定片１４１と、押さえ片１４０と固定片１４１を連結する連結片１４２とを有する。押さえ片１４０は、帯状に形成される。連結片１４２は、押さえ片１４０の長手方向に沿った一方の端縁から押さえ片１４０の厚み方向の一方の向きに立ち上がるように形成される。固定片１４１は、連結片１４２の長手方向に沿った端縁から押さえ片１４０と逆向きに立ち上がるように形成される（図１及び図４参照）。また、固定片１４１の長手方向における両端に、それぞれ円形のねじ挿通孔１４１０が設けられる（図１参照）。なお、押さえ金具１４は、ステンレス鋼板などの金属板が曲げ加工されることで押さえ片１４０、固定片１４１及び連結片１４２を一体に形成して構成されることが好ましい。
【００２３】
器具本体２は、図７及び図８Ａ〜図８Ｄに示すように、枠部２０、第１固定部２１、仕切壁２２、補強部２３Ａ、２３Ｂ、第２固定部２４、第３固定部２５、第４固定部２６、軸受け部２７などを有する。枠部２０は、アルミ又はアルミ合金により、扁平な角筒状に形成される。なお、以下の説明においては、枠部２０の上側の側壁を上側壁２００、下側の側壁を下側壁２０１、左側の側壁を左側壁２０２、右側の側壁を右側壁２０３と呼ぶ。
【００２４】
上側壁２００には、逆Ｕ字状のハンドル２０００が設けられる（図７参照）。このハンドル２０００は、人の手で握り易い大きさに形成されることが好ましい。また、上側壁２００の左右方向の中央に、円形のケーブル挿通孔２００１と、一対のねじ孔２００２とが設けられる。一対のねじ孔２００２は、ケーブル挿通孔２００１の左右両隣にそれぞれ設けられる（図８Ｂ参照）。さらに、上側壁２００には、４つのねじ孔２００３が左右方向に間隔を空けて並ぶように設けられる（図８Ｂ参照）。なお、下側壁２０１における左右方向の中央にも、上側壁２００と同様に円形のケーブル挿通孔と、一対のねじ孔とが設けられる。さらに、下側壁２０１にも、４つのねじ孔が左右方向に間隔を空けて並ぶように設けられる。
【００２５】
仕切壁２２は、上側壁２００に平行な第１仕切壁２２Ａと、下側壁２０１に平行な第２仕切壁２２Ｂとを有する。ただし、第１仕切壁２２Ａと第２仕切壁２２Ｂの間には、第１仕切壁２２Ａと上側壁２００及び第２仕切壁２２Ｂと下側壁２０１のそれぞれの間隔よりも狭い空間（開口）２２０が設けられている（図７及び図８Ａ参照）。なお、この空間２２０の左右方向の中央には、第１仕切壁２２Ａと第２仕切壁２２Ｂに跨がる、薄板状の補強壁２２１が設けられることが好ましい。
【００２６】
ここで、上側壁２００と第１仕切壁２２Ａに挟まれた領域に２つの光源ユニット１が左右方向に並べて配置される。同様に、下側壁２０１と第２仕切壁２２Ｂに挟まれた領域に残り２つの光源ユニット１が左右方向に並べて配置される（図３参照）。そして、これら２つの領域の左右方向の中央には、上側壁２００と第１仕切壁２２Ａに跨がる第１補強部２３Ａと、下側壁２０１と第２仕切壁２２Ｂに跨がる第２補強部２３Ｂとがそれぞれ設けられることが好ましい（図７及び図８Ａ参照）。ここで、上側壁２００と第１仕切壁２２Ａと第１補強部２３Ａと左側壁２０２に囲まれた孔を第１窓孔２０４と呼び、上側壁２００と第１仕切壁２２Ａと第１補強部２３Ａと右側壁２０３に囲まれた孔を第２窓孔２０５と呼ぶ。また、下側壁２０１と第２仕切壁２２Ｂと第２補強部２３Ｂと左側壁２０２に囲まれた孔を第３窓孔２０６と呼び、下側壁２０１と第２仕切壁２２Ｂと第２補強部２３Ｂと右側壁２０３に囲まれた孔を第４窓孔２０７と呼ぶ。
【００２７】
第１固定部２１は、図７及び図８Ｂに示すように、上側壁２００及び下側壁２０１の外側の側面に、それぞれ４つずつ設けられる。また、第１仕切壁２２Ａ及び第２仕切壁２２Ｂの空間２２０に臨む面にも、第１固定部２１がそれぞれ４つずつ設けられる（図７参照）。これら１６個の第１固定部２１は、半円柱状のボスにねじ孔が形成された雌ねじで構成され、後から前に向かってねじ（雄ねじ）がねじ込まれるように形成される。
【００２８】
第２固定部２４は、図８Ａに示すように、上側壁２００及び下側壁２０１の前面に、それぞれ３つずつ設けられる。また、第１仕切壁２２Ａ及び第２仕切壁２２Ｂの前面にも、第２固定部２４がそれぞれ３つずつ設けられる（図８Ａ参照）。これら１２個の第２固定部２４は、半円柱状のボスにねじ孔が形成された雌ねじで構成され、前から後に向かってねじ（雄ねじ）がねじ込まれるように形成される。
【００２９】
第３固定部２５は、図８Ａに示すように、上側壁２００及び下側壁２０１の前面における左右両端に、それぞれ１つずつ設けられる。また、第１仕切壁２２Ａ及び第２仕切壁２２Ｂの前面における左右両端にも、第３固定部２５がそれぞれ１つずつ設けられる（図８Ｂ参照）。これら８個の第３固定部２５は、半円柱状のボスにねじ孔が形成された雌ねじで構成され、前から後に向かってねじ（雄ねじ）がねじ込まれるように形成される（図８Ａ〜図８Ｄ参照）。
【００３０】
第４固定部２６は、図８Ａに示すように、上側壁２００及び下側壁２０１の内側の側面に、それぞれ４つずつ設けられる。また、第１仕切壁２２Ａ及び第２仕切壁２２Ｂの第１窓孔２０４〜第４窓孔２０７に臨む面にも、第４固定部２６がそれぞれ４つずつ設けられる（図３及び図８Ａ参照）。これら１６個の第４固定部２６は、半円柱状のボスにねじ孔が形成された雌ねじで構成され、前から後に向かってねじ（雄ねじ）がねじ込まれるように形成される。
【００３１】
軸受け部２７は、図８Ａ〜図８Ｄに示すように、円筒形状の外郭２７０と、外郭２７０の中心に設けられる雌ねじ部２７１とを有する。また、軸受け部２７は、支持片２７２によって枠部２０に支持されることが好ましい。支持片２７２は、軸受け部２７の軸方向（左右方向）からみて略台形状に形成される（図８Ｃ、図８Ｄ参照）。また、支持片２７２の左右両側には、それぞれ一対の補強リブ２７３、２７４が設けられている（図８Ｂ参照）。
【００３２】
固定部材４は、図１及び図３に示すように、固定板４０と、固定板４０の左右両端から上向きに立ち上がる一対のアーム片４１とが金属板によって一体に形成されている。固定板４０は、略中心に円形の固定孔４００が貫通し、固定孔４００よりも後方に、固定孔４００を中心とする半円弧状の長孔４０１が貫通している。そして、固定孔４００に挿通されるボルトと、長孔４０１に挿通されるボルトで固定板４０が照明台などに固定される。また、長孔４０１に挿通されるボルトを緩めることにより、固定部材４の向き(光源ユニット１の光軸の向き)を略１８０度の範囲で変更することができる。
【００３３】
一対のアーム片４１は、先端部に円形の挿通孔４１０がそれぞれ貫通している。そして、挿通孔４１０に挿通されるボルト４３が、軸受け部２７の雌ねじ部２７１にねじ込まれる。つまり、固定部材４は、一対の軸受け部２７を介して器具本体２と結合され、かつ、雌ねじ部２７１にねじ込まれるボルト４３を回転軸として器具本体２を回転可能に支持することができる（図２Ａ及び図２Ｂ参照）。なお、左側の軸受け部２７には円盤状の目盛板４２が取り付けられる。この目盛板４２には、ボルト４３を中心とする角度の目盛りが刻印されており、アーム片４１に対する器具本体２の角度が読み取れるように構成されている（図２Ｂ参照）。
【００３４】
パネルユニット３は、図１に示すように、２枚のパネル３０と、２つのパネル押さえ３１と、２つのパネルパッキン３２とを有する。各パネル３０は、例えば、アクリル樹脂やポリカーボネート樹脂などの透光性を有する合成樹脂材料、あるいは、ガラスなどの透光性材料で矩形の平板状に形成される。また、各パネル３０は、２つの窓孔（第１窓孔２０４と第２窓孔２０５及び第３窓孔２０６と第４窓孔２０７）を共通かつ前方から覆うことができる寸法に形成されることが好ましい。さらに、各パネル３０は、長手方向に沿った上縁及び下縁に、それぞれ半円筒状の切欠３００が３つずつ間隔を空けて設けられている。
【００３５】
各パネルパッキン３２は、シリコーンゴムなどの弾性を有する材料で矩形の枠状に形成される。また、各パネルパッキン３２の内周面には、パネル３０の周部が嵌め込まれる溝３２１が全周に渡って形成されている（図４参照）。さらに、各パネルパッキン３２は、長手方向に沿った上縁及び下縁において、パネル３０の切欠３００と重なる位置に、それぞれ半球状の切欠３２０が３つずつ間隔を空けて設けられている。
【００３６】
各パネル押さえ３１は、図１に示すように、矩形枠状の押さえ片３１０と、押さえ片３１０の四隅を除く外周縁から後方に突出する４つの突片３１１とを有する。なお、押さえ片３１０と４つの突片３１１とは、ステンレス鋼板などの金属板によって一体に形成されることが好ましい。また、押さえ片３１０は、四隅にそれぞれ第１ねじ挿通孔３１２が設けられ、左右方向に隣り合う２つの第１ねじ挿通孔３１２の間に、それぞれ３つの第２ねじ挿通孔３１３が等間隔に並ぶように設けられる（図１及び図３参照）。
【００３７】
保護カバー５は、図１及び図２Ｂに示すように、一対の第１カバー体５０と、一対の第２カバー体５１とで箱形に形成される。一対の第１カバー体５０は、保護カバー５の左右の壁を構成し、一対の第２カバー体５１は、保護カバー５の上下の壁及び後の壁（底壁）を構成する。
【００３８】
第１カバー体５０は、図１に示すように、ステンレス鋼板などの金属板により、矩形の平板状に形成される。第１カバー体５０は、前側の辺を除く３つの辺から、それぞれ幅細の固定片５００が突出する。これら３つの固定片５００には、それぞれ複数（２つ又は４つ）のねじ挿通孔５０１が長手方向に並ぶように設けられる。また、第１カバー体５０は、前端側における上下方向の中央付近に、台形状の切欠部５０２が設けられている。
【００３９】
第２カバー体５１は、矩形の横板５１０と、矩形の縦板５１１とを有し、横板５１０の後端縁から縦板５１１が立ち上がるように構成されている。なお、横板５１０と縦板５１１は、ステンレス鋼板などの金属板によって一体に形成されることが好ましい。横板５１０は、左右両側の２つの辺から、それぞれ幅細の固定片５１００が突出する。これら２つの固定片５１００には、それぞれ複数（２つ）のねじ孔５１０１が前後方向の両端に設けられる。また、横板５１０は、前端側における左右方向の中央付近に、六角形状の凹部５１０２が設けられている。さらに、横板５１０は、前端部分における凹部５１０２の左右両側に、ねじ挿通孔５１０３がそれぞれ２つずつ、等間隔に並ぶように設けられている。
【００４０】
縦板５１１は、左右両側の端部に、それぞれ２つのねじ孔５１１０が上下方向に間隔を空けて並ぶように設けられる。また、上側の第２カバー体５１の縦板５１１は、下端側における左右方向の中央付近に、矩形の切欠５１１１が設けられている。同様に、下側の第２カバー体５１の縦板５１１は、上端側における左右方向の中央付近に、矩形の切欠５１１１が設けられている。さらに、第２カバー体５１は、切欠５１１１の左右両側に矩形の切り溝５１１２がそれぞれ設けられている。またさらに、第２カバー体５１は、それぞれ切り溝５１１２の近くにねじ挿通孔５１１３が１つずつ設けられている。
【００４１】
第１カバー体５０の上下の固定片５００がそれぞれ２つの第２カバー体５１の横板５１０の固定片５１００にねじ止めされ、第１カバー体５０の後の固定片５００がそれぞれ２つの第２カバー体５１の縦板５１１にねじ止めされて保護カバー５が組み立てられる。このように構成される保護カバー５は、図２Ａ及び図２Ｂに示すように、４つの光源ユニット１の放熱ブロック１１を覆うように、器具本体２に取り付けられる。ただし、保護カバー５には、放熱ブロック１１から放射される熱を逃がすため、多数の通気孔５２が上下、左右及び前後に並ぶように設けられている（図１、図２Ａ及び図２Ｂ参照）。
【００４２】
結線ボックス６は、図１に示すように、ボックス本体６０、蓋６１、端子台６２、ボックスパッキン６３、ケーブル保持部６４などを備える。ボックス本体６０は、アルミダイカストによって後面が開口した矩形の箱状に形成されることが好ましい。また、ボックス本体６０は、開口端（後端）の全周に渡って矩形枠状の外鍔６００が一体に形成されている。外鍔６００の四隅にそれぞれねじ孔６０１が設けられている。
【００４３】
さらに、ボックス本体６０は、前面（底面）に２つの導入口６０２が左右方向に並べて設けられている。これら２つの導入口６０２には、光源ユニット１への給電用の電気ケーブル（給電線）６５がそれぞれ挿通される（図１０参照）。また、これらの導入口６０２は、ボックス本体６０の内底面にねじ止めされるケーブル保持部６４によって電気ケーブル６５との間の隙間が塞がれる。なお、このようなケーブル保持部６４は、例えば、防水型のケーブルグランドで構成されることが好ましい。さらに、ボックス本体６０は、下面の中央に引き込み口が設けられている。この引き込み口を通して電源ケーブルが引き込まれる。なお、この引き込み口は、防水型のケーブルグランド６６によって電源ケーブルとの間の隙間が塞がれる（図２Ｂ参照）。
【００４４】
端子台６２は、ボックス本体６０の内底面にねじ止めされる。この端子台６２は、複数対のねじ端子を備え、それぞれのねじ端子に電源ケーブルの導体と電気ケーブル６５の電線６５０の導体とが電気的に接続される。つまり、外部に設置されている電源ユニットから電源ケーブルを介して供給される電力（直流電力）が、端子台６２から電気ケーブル６５を介して４つの光源ユニット１にそれぞれ給電される。
【００４５】
蓋６１は、アルミダイカストにより、縦横寸法がボックス本体６０の外鍔６００の縦横寸法にほぼ等しい矩形板状に形成されている。また、蓋６１の四隅にそれぞれねじ挿通孔６１０が設けられている（図１参照）。ボックスパッキン６３は、シリコーンゴムなどの弾性材料によって矩形の枠状に形成される。ボックスパッキン６３は、外鍔６００の表面（後面）に形成された凹所に嵌め込まれる。蓋６１は、後方から外鍔６００に被せられ、ねじ挿通孔６１０に挿通される４本のねじが外鍔６００の四隅のねじ孔６０１にねじ込まれてボックス本体６０に固定される。そして、蓋６１と外鍔６００との間の隙間がボックスパッキン６３で塞がれる。
【００４６】
ところで、ボックス本体６０の前面（外側の底面）における左右両端には、左右方向に沿って外向きに突出する、一対の取付片６０３が上下方向に並ぶようにそれぞれ設けられている（図１参照）。また、これら４つの取付片６０３の先端部には、それぞれねじ孔６０４が設けられている。
【００４７】
次に、本実施形態に係る光源ユニット１及び本実施形態に係る照明器具Ａの組立手順を説明する。ただし、以下に説明する組立手順は一例であり、いくつかの手順が入れ替えられても構わない。なお、器具本体２には、先に固定部材４が取り付けられていることが好ましい。
【００４８】
まず、組立作業の作業者は、放熱ブロック１１のベース部１１０に２つのＬＥＤモジュール１０をねじ止めして取り付ける。また、作業者は、２つのＬＥＤモジュール１０のそれぞれの速結端子台１０２に電気ケーブル６５の電線６５０（の導体）をそれぞれ電気的に接続する。ただし、電気ケーブル６５は、８本の電線６５０がシースで覆われた８芯タイプの電気ケーブルであることが好ましい。続いて、作業者は、放熱ブロック１１のベース部１１０に防水部材１３を装着する。つまり、図４に示すように、作業者は、防水部材１３の凹所１３６にベース部１１０を全周に渡って嵌め込めばよい。このとき、防水部材１３の一対の縦壁１３１と一対の横壁１３２が互いに繋がっておらず、隙間を空けて分断されている。そのため、作業者は、一対の縦壁１３１と一対の横壁１３２を互いに独立して撓ませることができる。つまり、本実施形態に係る光源ユニット１は、ベース部１１０に防水部材１３が装着される際の作業性の向上を図ることができる。
【００４９】
それから、作業者は、防水部材１３の凹部１３７に、器具本体２の上側壁２００（または下側壁２０１）及び第１仕切壁２２Ａ（または第２仕切壁２２Ｂ）の後端から第１〜第４窓孔２０４〜２０７の方へ突出する部分を挿入する（図４参照）。さらに、作業者は、防水部材１３の平坦部１３５に、押さえ金具１４の押さえ片１４０を当て、押さえ金具１４の固定片１４１のねじ挿通孔１４１０に挿通したねじを器具本体２の第１固定部２１にねじ込み、押さえ片１４０によって防水部材１３を器具本体２に向かって押さえる。その結果、ベース部１１０は、防水部材１３を介して、器具本体２の枠部２０及び仕切壁（第１仕切壁２２Ａ、第２仕切壁２２Ｂ）と押さえ金具１４の押さえ片１４０とに挟み込まれ、器具本体２に固定される（図４参照）。さらに、作業者は、速結端子台１０２に接続されている電気ケーブルを、上側壁２００のケーブル挿通孔２００１及び下側壁２０１のケーブル挿通孔に挿通して枠部２０の外にそれぞれ引き出す。このとき、作業者は、第１窓孔２０４及び第２窓孔２０５の位置に取り付けられた２つの光源ユニット１の電気ケーブルを、上側壁２００のケーブル挿通孔２００１に挿通して枠部２０の外に引き出す。一方、作業者は、第３窓孔２０６及び第４窓孔２０７の位置に取り付けられた２つの光源ユニット１の電気ケーブルを、下側壁２０１のケーブル挿通孔に挿通して枠部２０の外に引き出す。なお、２つの速結端子台１０２は、実装基板１０１の長手方向に対して傾くように実装されている。そのため、作業者は、それぞれのＬＥＤモジュール１０の１つの速結端子台１０２に差し込み接続する電線６５０を有する電気ケーブルをケーブル挿通孔２００１に挿通するに当たり、電線６５０を急激に曲げずに緩やかに曲げればよい。その結果、電線６５０や速結端子台１０２に加わる力を抑えることができる。
【００５０】
さらに、作業者は、上側壁２００及び下側壁２０１のねじ孔２００２にケーブルグランドをねじ止めする。それから、作業者は、器具本体２の第４固定部２６にレンズブロック１２をねじ止めする。このようにして、光源ユニット１の組立及び器具本体２への光源ユニット１の取付が完了する。
【００５１】
次に、作業者は、パネルパッキン３２の内周面の溝３２１にパネル３０の周部を嵌め込み、器具本体２の枠部２０内に前方から、パネル３０及びパネルパッキン３２を挿入する（図９参照）。そして、作業者は、パネルパッキン３２の前面側にパネル押さえ３１を被せ、四隅の第１ねじ挿通孔３１２に挿通したねじを器具本体２の第３固定部２５にねじ込み、かつ、第２ねじ挿通孔３１３に挿通したねじを器具本体２の第２固定部２４にねじ込む。このようにして、パネル３０及びパネルパッキン３２は、器具本体２とパネル押さえ３１との間に挟み込まれて器具本体２に固定される（図４参照）。このようにして、器具本体２へのパネルユニット３の取付が完了する（図９及び図１０参照）。
【００５２】
次に、作業者は、枠部２０の外に引き出した電気ケーブルをボックス本体６０の導入口６０２からボックス本体６０内に導入し、電気ケーブルの電線６５０を端子台６２のねじ端子に結線する。
【００５３】
続いて、作業者は、第２カバー体５１を器具本体２に取り付ける。始めに、作業者は、横板５１０の前方のねじ挿通孔５１０３にそれぞれ挿通したねじを、下側壁２０１の下面のねじ孔にそれぞれねじ込むことで下側壁２０１に第２カバー体５１を取り付ける。続いて、作業者は、この第２カバー体５１の縦板５１１の切り溝５１１２にボックス本体６０の取付片６０３を挿入し、後方から縦板５１１のねじ挿通孔５１１３に挿通したねじを、取付片６０３のねじ孔６０４にねじ込む。次に、作業者は、横板５１０の前方のねじ挿通孔５１０３にそれぞれ挿通したねじを、上側壁２００の上面のねじ孔２００３にそれぞれねじ込むことで上側壁２００に第２カバー体５１を取り付ける。続いて、作業者は、この第２カバー体５１の縦板５１１の切り溝５１１２にボックス本体６０の取付片６０３を挿入し、後方から縦板５１１のねじ挿通孔５１１３に挿通したねじを、取付片６０３のねじ孔６０４にねじ込む。このようにして、一対の第２カバー体５１に結線ボックス６が取り付けられる。ただし、作業者は、一対の第２カバー体５１に結線ボックス６を取り付けた後、これら一対の第２カバー体５１を器具本体２に取り付けてもよい。
【００５４】
次に、作業者は、２つの第１カバー体５０を、一対の第２カバー体５１の左右両側にそれぞれ取り付ける。すなわち、作業者は、第１カバー体５０の上下２つの固定片５００の２つのねじ挿通孔５０１に挿通した４本のねじを、２つの第２カバー体５１の上下２つの固定片５１００の２つのねじ孔５１１０にそれぞれねじ込む。さらに、作業者は、第１カバー体５０の後の固定片５００の４つのねじ挿通孔５０１に挿通した４本のねじを、２つの第２カバー体５１の縦板５１１の２つのねじ孔５１１０にそれぞれねじ込む。このようにして、２つの第１カバー体５０が２つの第２カバー体５１と結合されて保護カバー５が組み立てられ、かつ、保護カバー５が器具本体２に取り付けられる（図２参照）。
【００５５】
以上のような手順で本実施形態に係る照明器具Ａが組み立てられる。
【００５６】
ここで、本実施形態に係る光源ユニット１は、放熱ブロック１１のベース部１１０と器具本体２との間に、電気絶縁性を有する防水部材１３を介在させるように構成されている（図４参照）。しかも、本実施形態に係る光源ユニット１は、防水部材１３（の平坦部１３５）を押さえ金具１４（の押さえ片１４０）で押さえつけるようにして、器具本体２に取り付けられている。そのため、本実施形態に係る光源ユニット１は、例えば、ベース部１１０が器具本体２に直接ねじ止めされるような構成と比較して、小型化を図りつつ必要な絶縁距離（電気的な絶縁距離）を確保することができる。また、押さえ部材２４（の押さえ片１４０）と放熱ブロック１１（の放熱板１１１）との間に、防水部材１３の横壁１３２が配置されているので、押さえ部材２４と放熱ブロック１１との絶縁距離を大きくすることができる。さらに、器具本体２と放熱板１１１との間に、防水部材１３の縦壁１３１が配置されているので、器具本体２と放熱ブロック１１との絶縁距離を大きくすることができる。
【００５７】
上述のように本実施形態に係る光源ユニット１は、導電性を有する器具本体２に取り付けられる光源ユニットである。本実施形態に係る光源ユニット１は、１乃至複数の光源部（ＬＥＤモジュール１０）と、１乃至複数のＬＥＤモジュール１０が前面に固定された板状の支持部材（ベース部１１０）と、ベース部１１０の後面に設けられた放熱部（放熱板１１１）とを備える。さらに、本実施形態に係る光源ユニット１は、防水部材１３と、ベース部１１０及び防水部材１３を器具本体２に取り付けるための１乃至複数の取付部材（押さえ金具１４）とを備える。防水部材１３は、電気絶縁性を有し、ベース部１１０の周縁部分に被さってベース部１１０と器具本体２との間の隙間を塞ぐように設けられる。押さえ金具１４は、器具本体２に固定される固定片１４１と、防水部材１３を器具本体２に向かって押さえる押さえ片１４０とを有する。
【００５８】
本実施形態に係る光源ユニット１は上述のように構成されるので、例えば、ベース部１１０が器具本体２に直接ねじ止めされるような構成と比較して、小型化を図りつつ必要な絶縁距離（電気的な絶縁距離）を確保することができる。
【００５９】
また、本実施形態に係る光源ユニット１において、防水部材１３は、押さえ片１４０と放熱板１１１との間に位置する第１の壁（横壁１３２）を有することが好ましい。
【００６０】
本実施形態に係る光源ユニット１が上述のように構成されれば、押さえ片１４０と放熱板１１１との絶縁距離を大きくすることができる。
【００６１】
さらに、本実施形態に係る光源ユニット１において、防水部材１３は、枠形状に形成され、ベース部１１０の周縁部分が挿入される凹所１３６を内周面に有することが好ましい。
【００６２】
本実施形態に係る光源ユニット１が上述のように構成されれば、防水部材１３をベース部１１０に容易に取り付けることができる。
【００６３】
またさらに、本実施形態に係る光源ユニット１において、防水部材１３は、押さえ片１４０と放熱板１１１との間に位置する第１の壁（横壁１３２）と、器具本体２と放熱板１１１との間に位置する第２の壁（縦壁１３１）とを有することが好ましい。縦壁１３１は、横壁１３２と隙間を空けて分断されていることが好ましい。
【００６４】
本実施形態に係る光源ユニット１が上述のように構成されれば、押さえ片１４０と放熱板１１１との絶縁距離並びに器具本体２と放熱板１１１との絶縁距離を大きくし、かつ、防水部材１３をベース部１１０に容易に取り付けることができる。
【００６５】
本実施形態に係る照明器具Ａは、１乃至複数の光源ユニット１と、光源ユニット１が取り付けられる器具本体２とを有する。光源ユニット１は、上述した光源ユニット１である。器具本体２は、導電性を有する。
【００６６】
本実施形態に係る照明器具Ａは上述のように構成されるので、光源ユニット１の小型化を図りつつ必要な絶縁距離（電気的な絶縁距離）を確保することができる照明器具Ａが提供可能となる。
【符号の説明】
【００６７】
Ａ  照明器具
１  光源ユニット
２  器具本体
１０  ＬＥＤモジュール（光源部）
１３  防水部材
１４  押さえ金具（取付部材）
１１０  ベース部（支持部材）
１１１  放熱板（放熱部）
１３１  縦壁（第２の壁）
１３２  横壁（第１の壁）
１３６  凹所
１４０  押さえ片
１４１  固定片
【図１】
0006624551.tif 000002
【図２】
0006624551.tif 000003
【図３】
0006624551.tif 000004
【図４】
0006624551.tif 000005
【図５】
0006624551.tif 000006
【図６】
0006624551.tif 000007
【図７】
0006624551.tif 000008
【図８】
0006624551.tif 000009
【図９】
0006624551.tif 000010
【図１０】
0006624551.tif 000011